【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
対象画像を含む原画像を取得するステップ（３００）と；
画像圧縮処理後に低画素画像を取得するために、予め設定された圧縮率に従って前記原画像に画像圧縮処理を実行するステップ（３１０）と；
前記低画素画像内の前記対象画像の境界線を判定するステップ（３２０）と；
前記原画像内に含まれる前記対象画像を取得するために、前記低画素画像内に含まれる判定した前記境界線を前記原画像内にマッピングするステップ（３３０）と；を備える、
画像処理方法。
【請求項２】
画像圧縮処理後に低画素画像を取得するために、予め設定された圧縮率に従って前記原画像に画像圧縮処理を実行する前記ステップは、具体的に：
前記予め設定された圧縮率に従って、圧縮後の各画素点の位置を判定するステップと；
圧縮後の各画素点の画素値を取得するために、高速バイリニア補間アルゴリズムを用いて前記原画像に画像圧縮処理を実行するステップと；
圧縮後の各画素点の前記画素値及び前記位置に従って、前記低画素画像を生成するステップと；を備える、
請求項１に記載の画像処理方法。
【請求項３】
圧縮後の各画素点の画素値を取得するために、高速バイリニア補間アルゴリズムを用いて前記原画像に画像圧縮処理を実行する前記ステップは、具体的に：
前記予め設定された圧縮率に従って、前記原画像内に含まれる全ての原画素点から、圧縮後の各画素点に対応する４つの原画素点を判定するステップと；
圧縮後の各画素点に対応する前記４つの原画素点から、第１の方向への２対の原画素点と、第２の方向への２対の原画素点とを判定するステップであって、前記第１の方向は横方向で、前記第２の方向は縦方向である、又は、前記第１の方向は縦方向で、前記第２の方向は横方向である、前記判定するステップと；
前記第１の方向への圧縮後の各画素点の前記２対の原画素点にそれぞれ対応する第１補間を取得し、前記取得した２つの第１補間を初期補間とするステップ；又は、前記第２の方向への圧縮後の各画素点の前記２対の原画素点にそれぞれ対応する第２補間を取得し、前記取得した２つの第２補間を初期補間とするステップと；
圧縮後の各画素点に対応する前記初期補間に従って、圧縮後の各画素点に対応する補間を算出し、及び、前記算出した圧縮後の各画素点に対応する補間に従って、圧縮後の各画素点の前記画素値を判定するステップと；を備える、
請求項２に記載の画像処理方法。
【請求項４】
前記低画素画像内の前記対象画像の境界線を判定する前記ステップは、具体的に：
前記低画素画像から検出対象領域を判定するステップと；
前記対象画像の前記境界線を判定するために、前記検出対象領域内の２つ毎の隣接した画素点間の勾配値に従って、前記検出対象領域に境界線検出処理を実行するステップと；を備える、
請求項１乃至３のいずれか１項に記載の画像処理方法。
【請求項５】
前記低画素画像から検出対象領域を判定する前記ステップは、具体的に：
前記低画素画像をバイナリ画像へ変換するために、前記低画素画像をバイナリ化するステップであって、前記バイナリ画像は２色のみを含む、前記バイナリ化するステップと；
前記バイナリ画像内に含まれる少なくとも１本のエッジラインを取得するために、前記バイナリ画像にエッジ検出処理を実行するステップと；
各エッジラインを別個に拡大するステップと；
連結領域を取得するために、各々の拡大されたエッジラインを連結するステップと；
特定領域を取得するために、前記連結領域を、各連結領域の位置情報のそれぞれに従ってスクリーニングするステップであって、前記特定領域は、前記対象画像内の特定のグラフィック部分を含む領域である、前記スクリーニングするステップと；
前記低画素画像内の前記特定領域以外の領域を前記検出対象領域として判定するステップと；を備える、
請求項４に記載の画像処理方法。
【請求項６】
前記バイナリ画像にエッジ検出処理を実行する前記ステップの前に；
予め設定されたガウス・スムージングパラメータを用いて、前記バイナリ画像にガウス・スムージングを実行するステップを更に備える、
請求項５に記載の画像処理方法。
【請求項７】
前記対象画像の前記境界線を判定するために、前記検出対象領域内の２つ毎の隣接した画素点間の勾配値に従って、前記検出対象領域に境界線検出処理を実行する前記ステップは、具体的に：
前記低画素画像を２色のみを備えたバイナリ画像へ変換するために、前記低画素画像をバイナリ化するステップと；
以下の演算を任意方向に実行するステップであって、前記以下の演算は、前記任意方向において前記バイナリ画像の前記検出対象領域内の２つ毎の隣接した画素点間の勾配値を、前記任意方向に対応する予め設定された初期勾配閾値と別個に比較すること、及び、前記比較結果に従って前記任意方向への初期境界線を取得することである、前記実行するステップと；
各方向にて取得した初期境界線の数に従って、前記対象画像の前記境界線をそれぞれ判定するステップと；を備える、
請求項４に記載の画像処理方法。
【請求項８】
各方向にて取得した初期境界線の数に従って、前記対象画像の前記境界線をそれぞれ判定する前記ステップは、具体的に：
任意方向への検出結果を得るために、次の演算を実行するステップを備え；
前記演算は：
前記任意方向への前記少なくとも２本の初期境界線から前記任意方向への境界線を取得するために、前記任意方向にて取得した初期境界線の数が少なくとも２本である場合に、前記任意方向への各初期境界線の位置情報に従って、前記任意方向への各初期境界線に直線検出を別個に実行する演算；又は
前記任意方向にて取得した初期境界線の数が２本未満である場合に、前記任意方向に対応する前記予め設定された初期勾配閾値を、予め設定された第１の勾配差に従って連続的に低減し、及び、前記低減した初期勾配閾値を用いて、前記任意方向にて取得した初期境界線の数が少なくとも２本になるまで、前記任意方向にて前記バイナリ画像の前記検出対象領域を検出する演算；である、
請求項７に記載の画像処理方法。
【請求項９】
前記原画像内に含まれる前記対象画像を取得するために、前記低画素画像内に含まれる前記境界線を前記原画像内にマッピングする前記ステップは、具体的に：
前記低画素画像内の２つ毎の隣接した境界線の交差点を取得するステップと；
対応するマッピング点を前記原画像内に生成するために、前記取得した交差点を、前記予め設定された圧縮率に従って、前記原画像内に別個にマッピングするステップと；
前記原画像内にマッピングされた前記マッピング点を連続的に連結し、前記連結後に生成された四角形を、前記原画像内に含まれる前記対象画像として判定するステップと；を備える、
請求項４に記載の画像処理方法。
【請求項１０】
前記原画像内に含まれる前記対象画像を取得するステップの後に；
射影変換アルゴリズムを用いて前記対象画像を修正するステップを更に備える、
請求項４に記載の画像処理方法。
【請求項１１】
対象画像を含む原画像を取得するように構成された原画像取得部と；
画像圧縮処理後に低画素画像を取得するために、予め設定された圧縮率に従って前記原画像に画像圧縮処理を実行するように構成された低画素画像取得部と；
前記低画素画像内の前記対象画像の境界線を判定するように構成された境界線判定部と；
前記原画像内に含まれる前記対象画像を取得するために、前記低画素画像内の判定された前記境界線を前記原画像内にマッピングするように構成された対象画像取得部と；を備える、
画像処理装置。
【請求項１２】
前記低画素画像取得部は、具体的に：
前記予め設定された圧縮率に従って、圧縮後の各画素点の位置を判定し；
圧縮後の各画素点の画素値を取得するために、高速バイリニア補間アルゴリズムを用いて前記原画像に画像圧縮処理を実行し；
圧縮後の各画素点の前記画素値及び前記位置に従って、前記低画素画像を生成する；ように構成された、
請求項１１に記載の画像処理装置。
【請求項１３】
前記低画素画像取得部により、圧縮後の各画素点の画素値を取得するために、高速バイリニア補間アルゴリズムを用いて前記原画像に画像圧縮処理を実行することは、具体的に：
前記予め設定された圧縮率に従って、前記原画像内に含まれる全ての原画素点から、圧縮後の各画素点に対応する４つの原画素点を判定することと；
圧縮後の各画素点に対応する前記４つの原画素点から、第１の方向への２対の原画素点と、第２の方向への２対の原画素点とを判定することであって、前記第１の方向は横方向で、前記第２の方向は縦方向である、又は、前記第１の方向は縦方向で、前記第２の方向は横方向である、前記判定することと；
前記第１の方向への圧縮後の、各画素点の前記２対の原画素点にそれぞれ対応する第１補間を取得し、前記取得した２つの第１補間を初期補間とすること；又は、前記第２の方向への圧縮後の、各画素点の前記２対の原画素点にそれぞれ対応する第２補間を取得し、前記取得した２つの第２補間を初期補間とすることと；
圧縮後の各画素点に対応する前記初期補間に従って、圧縮後の各画素点に対応する補間を算出し、及び、前記算出した圧縮後の各画素点に対応する補間に従って、圧縮後の各画素点の前記画素値を判定することと；を備える、
請求項１２に記載の画像処理装置。
【請求項１４】
前記境界線判定部は：
前記低画素画像から検出対象領域を判定し；
前記対象画像の前記境界線を判定するために、前記検出対象領域内の２つ毎の隣接した画素点間の勾配値に従って、前記検出対象領域に境界線検出処理を実行する；ように構成された、
請求項１１乃至１３のいずれか１項に記載の画像処理装置。
【請求項１５】
前記境界線判定部によって、前記低画素画像から検出対象領域を判定することは、具体的に：
前記低画素画像を２色のみを備えたバイナリ画像へ変換するために、前記低画素画像をバイナリ化することと；
前記バイナリ画像内に含まれる少なくとも１本のエッジラインを取得するために、前記バイナリ画像にエッジ検出処理を実行することと；
各エッジラインを別個に拡大することと；
連結領域を取得するために、各々の拡大されたエッジラインを連結することと；
特定領域を取得するために、前記連結領域を、各連結領域の位置情報にそれぞれ従ってスクリーニングすることであって、前記特定領域は、前記対象画像内の特定のグラフィック部分を含む領域である、前記スクリーニングすることと；
前記低画素画像内の前記特定領域以外の領域を前記検出対象領域として判定することと；を備える、
請求項１４に記載の画像処理装置。
【請求項１６】
前記バイナリ画像にエッジ検出処理を実行する前に：
予め設定されたガウス・スムージングパラメータを用いて、前記バイナリ画像にガウス・スムージングを実行するように構成されたガウス・スムージング部を更に備える、
請求項１５に記載の画像処理装置。
【請求項１７】
前記境界線判定部により、前記対象画像の前記境界線を判定するために、前記検出対象領域内の２つ毎の隣接した画素点間の勾配値に従って、前記検出対象領域に境界線検出処理を実行することは、具体的に：
前記低画素画像を２色のみを含むバイナリ画像へ変換するために、前記低画素画像をバイナリ化することと；
以下の演算を任意方向に実行することであって、前記以下の演算は、前記任意方向において前記バイナリ画像の前記検出対象領域内の２つ毎の隣接した画素点間の勾配値を、前記任意方向に対応する予め設定された初期勾配閾値と別個に比較すること、及び、前記比較結果に従って前記任意方向への初期境界線を取得することである、前記演算を任意方向に実行することと；
各方向にて取得した初期境界線の数に従って、前記対象画像の前記境界線をそれぞれ判定することと；を備える、
請求項１４に記載の画像処理装置。
【請求項１８】
各方向にて取得した初期境界線の数に従って、前記対象画像の前記境界線をそれぞれ判定することは、具体的に：
任意方向への検出結果を得るために、次の演算を実行することを備え；
前記演算は：
前記任意方向への前記少なくとも２本の初期境界線から前記任意方向への境界線を取得するために、前記任意方向にて取得した初期境界線の数が少なくとも２本である場合に、前記任意方向への各初期境界線の位置情報に従って、前記任意方向への各初期境界線に直線検出を別個に実行する演算；又は
前記任意方向にて取得した初期境界線の数が２本未満である場合に、前記任意方向に対応する前記予め設定された初期勾配閾値を、予め設定された第１の勾配差に従って連続的に低減し、及び、前記低減した初期勾配閾値を用いて、前記任意方向にて取得した初期境界線の数が少なくとも２本になるまで、前記任意方向にて前記バイナリ画像の前記検出対象領域を検出する演算；である、
請求項１７に記載の画像処理装置。
【請求項１９】
前記対象画像取得部は、具体的に：
前記低画素画像内に含まれる２つ毎の隣接した境界線の交差点を取得し；
前記取得した交差点を、前記予め設定された圧縮率に従って、前記原画像内に別個にマッピングし；
前記原画像内にマッピングされた点を連続的に連結し、前記連結後に生成された四角形を、前記原画像内に含まれる前記対象画像として判定する；ように構成された、
請求項１４に記載の画像処理装置。
【請求項２０】
前記原画像内に含まれる前記対象画像の取得後に；
射影変換アルゴリズムを用いて前記対象画像を修正するように構成された修正部を更に備える、
請求項１４に記載の画像処理装置。
【手続補正２】
【補正対象書類名】明細書
【補正対象項目名】０１１０
【補正方法】変更
【補正の内容】
【０１１０】
当業者は、本願の実施の形態の趣旨及び範囲から逸脱せずに、本願の実施の形態に様々な補正及び修正を加えられることが明白である。したがって、本願の実施の形態のこれらの補正及び修正が本願の特許請求の範囲及びその均等な技術の範囲に含まれる場合、本願はその補正及び修正を含むことを意味する。
［第１の局面］
画像処理方法であって：
対象画像を含む原画像を取得するステップと；
画像圧縮処理後に低画素画像を取得するために、予め設定された圧縮率に従って前記原画像に画像圧縮処理を実行するステップと；
前記低画素画像内の前記対象画像の境界線を判定するステップと；
前記原画像内に含まれる前記対象画像を取得するために、前記判定した前記低画素画像内に含まれる境界線を前記原画像内にマッピングするステップと；を備える、
画像処理方法。
［第２の局面］
前記画像圧縮処理後に低画素画像を取得するために、予め設定された圧縮率に従って前記原画像に前記画像圧縮処理を実行する前記ステップは、具体的に：
前記予め設定された圧縮率に従って圧縮後の各画素点の位置を判定するステップと；
圧縮後の各画素点の画素値を取得するために、高速バイリニア補間アルゴリズムを用いて前記原画像に画像圧縮処理を実行するステップと；
圧縮後の各画素点の前記画素値及び前記位置に従って前記低画素画像を生成するステップと；を備える、
第１の局面に記載の方法。
［第３の局面］
圧縮後の各画素点の画素値を取得するために、高速バイリニア補間アルゴリズムを用いて前記原画像に前記画像圧縮処理を実行する前記ステップは、具体的に：
前記原画像内に含まれる全ての原画素点のうち、前記予め設定された圧縮率に従って圧縮後の各画素点に対応する４つの原画素点を判定するステップと；
圧縮後の各画素点に対応する前記４つの原画素点のうち、第１の方向への２対の原画素点と、第２の方向への２対の原画素点とを判定するステップであって、前記第１の方向は横方向で、前記第２の方向は縦方向である、或いは、前記第１の方向は縦方向で、前記第２の方向は横方向である、判定するステップと；
前記第１の方向への圧縮後の各画素点の前記２対の原画素点にそれぞれ対応する第１補間を取得し、前記取得した２つの第１補間を初期補間とするステップ、又は、前記第２の方向への圧縮後の各画素点の前記２対の原画素点にそれぞれ対応する第２補間を取得し、前記取得した２つの第２補間を初期補間とするステップと；
圧縮後の各画素に対応する前記初期補間に従って、圧縮後の各画素点に対応する補間を算出し、前記算出した圧縮後の各画素点に対応する補間に従って、圧縮後の各画素点の前記画素値を判定するステップと；を備える、
第２の局面に記載の方法。
［第４の局面］
前記低画素画像内の前記対象画像の境界線を判定する前記ステップは、具体的に：
前記低画素画像から検出対象領域を判定するステップと；
前記対象画像の前記境界線を判定するために、前記検出対象領域内の２つ毎の隣接した画素点間の勾配値に従って、前記検出対象領域に境界線検出処理を実行するステップと；を備える、
第１の局面乃至第３の局面のいずれか１項に記載の方法。
［第５の局面］
前記低画素から前記検出対象領域を判定する前記ステップは、具体的に：
前記低画素画像をバイナリ画像へ変換するために、前記低画素画像をバイナリ化するステップであって、前記バイナリ画像は２色のみを含む、バイナリ化するステップと；
前記バイナリ画像内に含まれる少なくとも１本のエッジラインを取得するために、前記バイナリ画像にエッジ検出処理を実行するステップと；
各エッジラインを別個に拡大するステップと；
連結領域を取得するために、各々の拡大されたエッジラインを連結するステップと；
特定領域を取得するために、前記連結領域を、各連結領域の位置情報のそれぞれに従ってスクリーニングするステップであって、前記特定領域とは前記対象画像内の特定のグラフィック部分を含む領域である、スクリーニングするステップと；
前記低画素画像内の前記特定領域以外の領域を検出対象領域として判定するステップと；を備える、
第４の局面に記載の方法。
［第６の局面］
前記バイナリ画像に前記エッジ検出処理を実行する前記ステップの前に、
予め設定されたガウス・スムージングパラメータを用いて、前記バイナリ画像にガウス・スムージングを実行するステップを更に備える、
第５の局面に記載の方法。
［第７の局面］
前記対象画像の前記境界線を判定するために、前記検出対象領域内の２つ毎の隣接した画素点間の勾配値に従って、前記検出対象領域に前記境界線検出処理を実行するステップは、具体的に：
前記低画素画像を２色のみを備えたバイナリ画像へ変換するために、前記低画素画像をバイナリ化するステップと；
以下の演算を任意方向に実行するステップであって、前記以下の演算は、前記任意方向において前記バイナリ画像の前記検出対象領域内の２つ毎の隣接した画素点間の勾配値を、前記任意方向に対応する予め設定された初期勾配閾値と別個に比較すること、及び、前記比較結果に従って前記任意方向への初期境界線を取得することである、実行するステップと；
各方向にて取得した初期境界線の数に従って前記対象画像の前記境界線をそれぞれ判定するステップと；を備える、
第４の局面に記載の方法。
［第８の局面］
各方向にて取得した前記初期境界線の数に従って、前記対象画像の前記境界線をそれぞれ判定する前記ステップは、具体的に：
任意方向への検出結果を得るために、次の演算を実行するステップを備え；
前記演算は：
前記任意方向への前記少なくとも２本の初期境界線から前記任意方向への境界線を取得するために、前記任意方向にて取得した初期境界線の数が少なくとも２本である場合に、前記任意方向への各初期境界線の位置情報に従って、前記任意方向への各初期境界線に直線検出を別個に実行する演算；又は
前記任意方向にて取得した前記初期境界線の数が２本未満である場合に、前記任意方向に対応する前記予め設定された初期勾配閾値を、予め設定された第１の勾配差に従って連続的に低減し、又、前記低減した初期勾配閾値を用いて、前記任意方向にて取得した前記初期境界線の数が少なくとも２本になるまで、前記任意方向にて前記バイナリ領域の前記検出対象領域を検出する演算；である、
第７の局面に記載の方法。
［第９の局面］
前記原画像内に含まれる前記対象画像を取得するために、前記低画素画像内に含まれる前記境界線を前記原画像内にマッピングする前記ステップは、具体的に：
前記低画素画像内の２つ毎の隣接した境界線の交差点を取得するステップと；
前記取得した交差点を、前記予め設定された圧縮率に従って前記原画像内に別個にマッピングして、対応するマッピング点を前記原画像内に生成するステップと；
前記原画像内にマッピングされた前記マッピング点を連続的に連結し、前記連結後に生成された四角形を、前記原画像内に含まれる対象画像として判定するステップと；を備える、
第４の局面に記載の方法。
［第１０の局面］
前記原画像内に含まれる前記対象画像を取得する前記ステップの後に、
射影変換アルゴリズムを用いて前記対象画像を修正するステップを更に備える、
第４の局面に記載の方法。
［第１１の局面］
画像処理装置であって：
対象画像を含む原画像を取得するように構成された原画像取得部と；
予め設定された圧縮率に従って前記原画像に画像圧縮処理を実行し、前記画像圧縮処理後に低画素画像を取得するように構成された低画素画像取得部と；
前記低画素画像内の前記対象画像の境界線を判定するように構成された境界線判定部と；
前記低画素画像内の前記判定された境界線を前記原画像内にマッピングして、前記原画像内に含まれる前記対象画像を取得するように構成された対象画像取得部と；を備える、
画像処理装置。
［第１２の局面］
前記低画素画像取得部は、具体的に：
前記予め設定された圧縮率に従って、圧縮後の各画素点の位置を判定し；
高速バイリニア補間アルゴリズムを用いて前記原画像に画像圧縮処理を実行して、圧縮後の各画素点の画素値を取得し；
圧縮後の各画素点の前記画素値及び前記位置に従って、前記低画素画像を生成する；ように構成された、
第１１の局面に記載の装置。
［第１３の局面］
前記低画素画像取得部により、高速バイリニア補間アルゴリズムを用いて前記原画像に画像圧縮処理を実行して、圧縮後の各画素点の画素値を取得することは、具体的に：
前記予め設定された圧縮率に従って、前記原画像内に含まれる全ての原画素点から、圧縮後の各画素点に対応する４つの原画素点を判定することと；
圧縮後の各画素点に対応する前記４つの原画素点から、第１の方向への２対の原画素点と、第２の方向への２対の原画素点とを判定することであって、前記第１の方向は横方向、前記第２の方向は縦方向であり、又は、前記第１の方向は縦方向、前記第２の方向は横方向である、判定することと；
前記第１の方向への圧縮後の、各画素点の前記２対の原画素点にそれぞれ対応する第１補間を取得し、前記取得した２つの第１補間を初期補間とすること；又は、前記第２の方向への圧縮後の、各画素点の前記２対の原画素点にそれぞれ対応する第２補間を取得し、前記取得した２つの第２補間を初期補間とすることと；
圧縮後の各画素点に対応する前記初期補間に従って、圧縮後の各画素点に対応する補間を算出し、又、前記算出した圧縮後の各画素点に対応する補間に従って圧縮後の各画素点の前記画素値を判定することと；を備える、
第１２の局面に記載の装置。
［第１４の局面］
前記境界線判定部は：
前記低画素画像から検出対象領域を判定し；
前記対象画像の前記境界線を判定するために、前記検出対象領域内の２つ毎の隣接した画素点間の勾配値に従って、前記検出対象領域に境界線検出処理を実行する；ように構成された、
第１１の局面乃至第１３の局面のいずれか１項に記載の装置。
［第１５の局面］
前記境界線判定部によって、前記低画素画像から検出対象領域を判定することは、具体的に：
前記低画素画像を２色のみを備えたバイナリ画像へ変換するために前記低画素画像をバイナリ化することと；
前記バイナリ画像内に含まれる少なくとも１本のエッジラインを取得するために、前記バイナリ画像にエッジ検出処理を実行することと；
各エッジラインを別個に拡大することと；
連結領域を取得するために、各々の拡大されたエッジラインを連結することと；
特定領域を取得するために、前記連結領域を、各々の連結領域の位置情報にそれぞれ従ってスクリーニングすることであって、前記特定領域は、前記対象画像内の特定のグラフィック部分を含む領域である、スクリーニングすることと；
前記低画素画像内の前記特定領域以外の領域を前記検出対象領域として判定することと；を備える、
第１４の局面に記載の装置。
［第１６の局面］
前記バイナリ画像に前記エッジ検出処理を実行する前に、予め設定されたガウス・スムージングパラメータを用いて前記バイナリ画像にガウス・スムージングを実行するように構成されたガウス・スムージング部を更に備える、
第１５の局面に記載の装置。
［第１７の局面］
前記対象画像の前記境界線を判定するために、前記境界線判定部により、検出対象領域内の２つ毎の隣接した画素点間の勾配値に従って、前記検出対象領域に境界線検出を実行することは、具体的に：
前記低画素画像を２色のみを含むバイナリ画像へ変換するために、前記低画素画像をバイナリ化することと；
以下の演算を任意方向に実行することであって、前記以下の演算は、前記任意方向において前記バイナリ画像の前記検出対象領域内の２つ毎の隣接した画素点間の勾配値を、前記任意方向に対応する予め設定された初期勾配閾値と別個に比較すること、及び、前記比較結果に従って前記任意方向にて初期境界線を取得すること、である演算を任意方向に実行することと；
各方向にて取得した前記初期境界線の数に従って、前記対象画像の前記境界線をそれぞれ判定することと；を備える、
第１４の局面に記載の装置。
［第１８の局面］
各方向にて取得した前記初期境界線の数に従って、前記対象画像の前記境界線をそれぞれ判定することは、具体的に：
任意方向への検出結果を得るために、次の演算を実行することを備え；
前記演算は：
前記任意方向への前記少なくとも２本の初期境界線から前記任意方向への境界線を取得するために、前記任意方向にて取得した初期境界線の数が少なくとも２本である場合に、前記任意方向への各初期境界線の位置情報に従って、前記任意方向への各初期境界線に直線検出を別個に実行する演算；又は
前記任意方向にて取得した前記初期境界線の数が２本未満である場合に、前記任意方向に対応する前記予め設定された初期勾配閾値を、予め設定された第１の勾配差に従って連続的に低減し、又、前記低減した初期勾配閾値を用いて、前記任意方向にて取得した前記初期境界線の数が少なくとも２本になるまで、前記任意方向にて前記バイナリ領域の前記検出対象領域を検出する演算；である、
第１７の局面に記載の装置。
［第１９の局面］
前記対象画像取得部は、具体的に：
前記低画素画像内に含まれる２つ毎の隣接した境界線の交差点を取得し；
前記取得した交差点を、前記予め設定された圧縮率に従って、前記原画像内に別個にマッピングし；
前記原画像内にマッピングされた前記点を連続的に連結し、前記連結後に生成された四角形を前記原画像内に含まれる対象画像として判定する；ように構成された、
第１４の局面に記載の装置。
［第２０の局面］
前記原画像内に含まれる前記対象画像の取得後に、射影変換アルゴリズムを用いて前記対象画像を修正するように構成された修正部を更に備える、
第１４の局面に記載の装置。